(57)【要約】【課題】接合されたヘッドとシャフトを分離する際の加熱温度を制御することで、分離したシャフトおよびヘッドの再生利用性を損なうことなく、迅速にシャフトとヘッドを分離できる効率的かつ無公害のゴルフクラブ分解装置を提供する。【解決手段】ゴルフクラブ１を分解するゴルフクラブ分解装置１０は、誘導コイル５１が取付けられ、ゴルフクラブ１を固定して、ヘッド２とシャフト３を分離させる分離装置２０と、ヘッド２のホーゼル部４のシャフト３とヘッドが接着接合されている接合部４ａを非接触で誘導加熱する誘導コイル５１と誘導コイル５１への電力量を制御する制御部６０を含む誘導加熱装置５０によって構成されたゴルフクラブ分解装置１０である。【選択図】図２
2006102372.tif 000002
【特許請求の範囲】
【請求項１】
接合されたヘッドとシャフトを分離するゴルフクラブ分解装置であって、該ゴルフクラブ分解装置は、前記ヘッドとシャフトの接合部を誘導加熱し、該接合部の発熱温度を所定温度に制御する誘導加熱装置と、前記加熱された接合部を分離させる分離装置を含むことを特徴とするゴルフクラブ分解装置。
【請求項２】
前記誘導加熱装置は、前記接合部の挿脱が可能な位置に配置した誘導コイルを有し、該誘導コイルは強磁性材料からなるコアと、該コアにコイルを巻回してなり、前記コイルへの投入電力量を定量制御して高周波電流供給を行うことを特徴とする請求項１記載のゴルフクラブ分解装置。
【請求項３】
前記分離装置は、前記ヘッドとシャフトに接触されている接着剤の接着力が低下したときに、自動的に駆動装置が駆動され、該駆動装置の作用力によりヘッドまたはシャフトが分離される方向へ移動させる構成であることを特徴とする請求項１または２記載のゴルフクラブ分解装置。
【請求項４】
前記誘導コイルは、ヘッドの近傍から離れるように移動させる構成であることを特徴とする請求項１、２又は、３記載のゴルフクラブ分解装置。
【発明の詳細な説明】
【技術分野】
【０００１】
本発明は、ゴルフクラブのヘッドとシャフトを分離する際に使用するゴルフクラブ分解装置に関するものである。
【背景技術】
【０００２】
消費者が購入したゴルフクラブにおいて、シャフトをヘッドから引き抜き、新たなシャフト或いはヘッドに取替えることは、しばしば行われている。例えば、シャフトを、その剛性が異なるもの、或いは、材質の異なるものなどに取替えたいとか、逆に、シャフトはそのまま使用し、ヘッドを重量の異なるものや材質の異なるものなどに取替えたい場合がある。
【０００３】
このゴルフクラブのヘッドとシャフトの接合部は、エポキシ樹脂等の接着剤で接着接合されており、シャフトとヘッドを分離するには、この接合部をガストーチ等の等加熱具を用いて１５０℃〜２００℃程度になるように加熱して前記接着剤を溶融させ、その接着力を低下させ、シャフトを固定しヘッドを引き抜く方法で行われていた。
【０００４】
従来、このようなヘッドとシャフトの分離において、シャフトをヘッドから引き抜く機器としては、例えば、図１９に示すような引き抜き器を使用している。
この引き抜き器は、基台７１の一端に固定台座７２を固設し、該固定台座７２の前方には、基台７１に形成した案内溝７３に案内されて前後方向に移動する引き抜き板７４を設け、前記固定台座７２には、引抜き用ボルト７９を螺装すると共にその先端を前記引き抜き板７４に係合している。また、前記固定台座７２の上面には、シャフト挟持する半円溝７５ａを形成し、更に、下面にシャフトを挟持する半円溝７５ｂを形成した挟持板７６を設けると共に該挟持板７６にボルト挿通穴を固定台座７２に雌ねじを形成し、これらに固定用ボルト７７を螺着するようにし、更に、上記引き抜き板７４の上面にはシャフト嵌合溝７８を形成している。
前記引き抜き器の引き抜き操作としては、先ずソケットを切断除去したゴルフクラブを、図１９の点線で示すように載置する。次に、挟持板７６をボルト挿通穴を通じて固定用ボルト７７により固定台座７２に締結し、両半円溝７５ａ、７５ｂとによりシャフトを挾持する。次に、引抜き用ボルト７９を手操作で回転して引き抜き板７４をヘッド側方向へ前進させる。これにより、引き抜き板７４の前面がヘッドにおけるホーゼル部の端部に係止して、ヘッドをシャフトから引き抜く。尚、この引き抜きに際し、ヘッドのホーゼル部を加熱し、シャフトを接着保持している接着剤を溶融しておく。
【０００５】
また、特許文献１に開示されているゴルフ用クラブのヘッド外し器は、図２０に示すように、シャフトからヘッドを外す等のことができるものであって、この際に、雄ネジ８１を廻すことによって下側挟み着け体８２を左方に移動させ、これによりコイルバネ８３を畜力状態とし、この畜力状態においてゴルフ用クラブのシャフトの先端個所を切欠８４に嵌め止めてホーゼルを該切欠８４の切縁に引っ掛けると共に上側挟み着け体８５をネジ８６より下降させてシャフトを当該上側挟み着け体８５と下側挟み着け体８２に挟止している。この挟止状態において雄ネジ８１を上記と反対の方向に回し戻して支持部８７と抜け戻り阻止用部８８と間にすき間をつくり、コイルバネ８３の作用力をシャフトにかけて当該シャフトとホーゼル（ヘッド）との間に抜き外し力（テンシヨン）を賦与し、この賦与状態（テンション掛け状態）においてホーゼルにおけるシャフトの差し込まれ個所をドライヤー等加熱具で外から加熱し、シャフトのホーゼル内に存する個所のまわりに流し固められている接着剤を溶かし、この溶け出しによって接着力が弱まってテンション力の方が勝ったときに当該テンション力によりヘッドがシャフトから抜け外れるゴルフ用クラブのヘッド外し器が開示されている。
【特許文献１】特開平９−７５４８８号公報
【発明の開示】
【発明が解決しようとする課題】
【０００６】
しかし、図１９で示した、上記従来の引き抜き器においては、ホーゼル部をドライヤー、ガストーチ等の加熱具で加熱させて、シャフトを接着保持している接着剤を溶融させているが、前記加熱具では、ホーゼル部を所定温度になるよう制御することが困難である。
従って、接着剤の溶融点温度以上の温度で加熱した場合には、高熱によりシャフトやヘッドの素材に影響を及ぼすことがあり、シャフトやヘッドが再使用できなくなるといった問題が発生する可能性がある。
特に、ＦＲＰ製のシャフトにおいては、加熱による熱の影響で素材の性能が変化しやすく、接着剤の溶融点付近の温度で加熱温度を制御することが重要である。
また、接着剤の溶融点温度以下の温度で、引き抜き板７４を前進させてしまうと、強引に引抜を行いシャフトに傷をつける場合もある。
【０００７】
また、前記特許文献１に開示されているゴルフ用クラブのヘッド外し器は、ホーゼルにおけるシャフトの差し込まれ個所をドライヤーやガスバーナー等加熱具で外から加熱し、シャフトのホーゼル内に存する個所のまわりに流し固められている接着剤を溶かし、この溶け出しによって接着力が弱まってバネのテンション力の方が勝ったときに当該バネのテンション力によりヘッドがシャフトから抜け外れる構造であるため、前記加熱具では、加熱の温度制御することが困難で、接着剤の溶融点温度以上の温度で加熱している場合が殆どである。従って、前記従来例同様に、前記加熱では高熱により、シャフトやヘッドの素材の組織が変化し、素材に影響を及ぼすことがあり、シャフトやヘッドが再使用できなくなるといった問題が発生する可能性がある。
【０００８】
上記した従来例において、前記加熱具を用いた加熱で、シャフトやヘッドの素材に影響を及ぼさないようにするためには、加熱する部分を出来るだけ接合部に集中させることや、接着剤は溶融するが素材には悪影響を及ぼさない温度近辺に昇温させるのが、難しく熟練を要する。また、ガストーチ等の加熱具を用いている場合、火を使用して高温で加熱するため、ヘッドやシャフトの表面を焼くことになり、有害ガスが多量に発生するなど環境を汚染するといった問題の発生、その対策に費用を要する。また、火を使用する為、取扱いに危険が生じ、建物によっては火を使う事が禁じられている建物がある為、場所によっては使用できない場合がある。
【０００９】
そこで本発明は、前記問題を解決することで、接合されたヘッドとシャフトを分離する際の加熱温度を制御することで、分離したシャフトおよびヘッドの再生利用性を損なうことなく、迅速にシャフトとヘッドを分離できる効率的かつ無公害のゴルフクラブ分解装置を提供することを目的とするものである。
【課題を解決するための手段】
【００１０】
前記目的を達成するために、請求項１の発明は、接合されたヘッドとシャフトを分離するゴルフクラブ分解装置であって、該ゴルフクラブ分解装置は、前記ヘッドとシャフトの接合部を誘導加熱し、該接合部の発熱温度を所定温度に制御する誘導加熱装置と、前記加熱された接合部を分離させる分離装置を含むことを特徴とするゴルフクラブ分解装置である。
【００１１】
請求項２の発明は、請求項１記載のゴルフクラブ分解装置あって、前記誘導加熱装置は、前記接合部の挿脱が可能な位置に配置した誘導コイルを有し、該誘導コイルは強磁性材料からなるコアと、該コアにコイルを巻回してなり、前記コイルへの投入電力量を定量制御して高周波電流供給を行うことを特徴とするゴルフクラブ分解装置である。
【００１２】
請求項３の発明は、請求項１または２記載のゴルフクラブ分解装置あって、前記分離装置は、前記ヘッドとシャフトに接触されている接着剤の接着力が低下したときに、自動的に駆動装置が駆動され、該駆動装置の作用力によりヘッドまたはシャフトが分離される方向へ移動させる構成であることを特徴とするゴルフクラブ分解装置である。
【００１３】
請求項４の発明は、請求項１、２又は、３記載のゴルフクラブ分解装置あって、前記誘導コイルは、ヘッドの近傍から離れるように移動させる構成であることを特徴とするゴルフクラブ分解装置である。
【発明の効果】
【００１４】
本発明のゴルフクラブ分解装置は、ゴルフクラブの分解にあたり、誘導加熱によりヘッドを加熱して、このヘッドとシャフトを固着している接着剤を溶融させ、その接着力を低下させることにより、資源再利用の観点からのヘッドとシャフトとの完全分離を容易に実現できる。さらに、ヘッドの誘導加熱による発熱温度を所定温度に制御して、ヘッドを加熱するため、ヘッドおよびシャフトを再利用する際の用途拡大を図れるとともに、加熱からの発煙および悪臭の発生を極力押さえることができる。このようにして、ゴルフクラブを経済的、効率的かつ無公害で分解できるゴルフクラブ分解装置とすることができる。
【００１５】
また、接着剤の接着力を低下した状態で、分離装置により、容易かつ迅速にシャフトとヘッドを分離することができる。
【００１６】
更に、誘導加熱装置と併用して分離装置によりヘッドとシャフトとの分離作業を自動化することで、分離作業の効率化を図ることができる。
【００１７】
また、誘導コイルをヘッドの近傍から離れるように移動される構造とすることで、ヘッドとシャフトが分離された後、錘をシャフト内部から分離する工程の作業性の向上を図ることができる。
【発明を実施するための最良の形態】
【００１８】
以下に、本発明の好適な実施例を図面を参照にして説明する。
【００１９】
図１は、ゴルフクラブを示す説明図、図２は、本発明のゴルフクラブ分解装置の概要を説明する全体図である。
【００２０】
まず、本発明のゴルフクラブ分解装置に先立ちゴルフクラブについて説明する。
図１は、ゴルフクラブ１を示すもので、ゴルフクラブ１は、ヘッド２、シャフト３およびグリップなどから構成されている。ヘッド２のホーゼル部４には、その先端に開口する取付け穴５にシャフト３が挿入され、前記シャフト３は、前記取付け穴５の内面と前記シャフト３の外周面との間に塗着された接着剤にて固着されることで、ゴルフクラブ１が形成されている。
【００２１】
なお、前記ヘッド２は、スチール、ステンレス、チタン、アルミニウム等の金属またはこれらの合金や繊維強化ブラスチック材料等からなる。また、シャフトは、スチール、繊維強化ブラスチック材料等からなる。
【００２２】
次に、本発明のゴルフクラブ分解装置の構造の概要を図２により説明する。
図２に示すように、ゴルフクラブ１を分解するゴルフクラブ分解装置１０は、後途する誘導コイル５１が取付けられ、ゴルフクラブ１を固定して、ヘッド２とシャフト３を分離させる分離装置２０と、ヘッド２のホーゼル部４のシャフト３とヘッドが接着接合されている接合部４ａを非接触で誘導加熱する誘導コイル５１と誘導コイル５１への電力量を制御する制御部６０を含む誘導加熱装置５０によって構成されたゴルフクラブ分解装置１０である。
なお、本発明のゴルフクラブ分解装置１０には、予め、ソケットを切断除去したゴルフクラブ１が固定された状態で説明する。
【００２３】
次に、本発明のゴルフクラブ分解装置で使用される誘導加熱装置の概略構成を図３〜図７に基づいて簡単に説明する。誘導加熱装置５０は、誘導コイル５１とこの誘導コイル５１への電力量を制御する制御部６０を含んでいる。
図３および図４は、誘導加熱装置が備える誘導コイルとその具体例の斜視図であり、図５は、誘導加熱装置の電気回路を示すブロック図、図６は、誘導加熱装置の操作部の構成を示す要部平面図、図７は、他の例の電気回路を示すブロック図である。
【００２４】
まず、本実施の形態の誘導加熱装置５０が備える誘導コイル５１は、図３、図４に示すように、誘導加熱を行うための交番磁力線Ｍを発生する誘導コイル５１を有しており、この誘導コイル５１は、ヘッドとシャフトの接合部の挿脱が可能な隙間５２を有した強磁性材料からなるコア５３と、その外周に巻回されるコイル５４を有した構成である。
【００２５】
前記コア５３は、強磁性材料であるフェライト、鉄、化合物などの高透磁率を持った材質としている。前記誘導コイルと形状としては、図３、図４に示すように、Ｃ字型およびＥ字型コイルが好適に用いられ、Ｃ字型の場合の隙間には、Ｎ＿Ｓ←→Ｓ＿Ｎの交番磁界が発生し、また、Ｅ字型コイルの場合の隙間には、Ｎ＿Ｎ←→Ｓ＿Ｓの交番磁界もしくは、Ｎ＿Ｓ←→Ｓ＿Ｎの交番磁界が発生する。
【００２６】
また、図示してはいないが、通常この誘導コイルは、樹脂等のような非導電体かつ非磁性体の材質で形成したケース内に収容されて用いられることになる。
【００２７】
そして、誘導加熱装置５０は、図５に示すように、誘導コイル５１と電源ユニット６３および高周波発生器６４および加熱時間設定器６５および保温時間設定器６６およびボリューム６７およびカウンター６８および操作スイッチ６９とを備える制御部６０とを有する構成である。そして、前記誘導コイル５１と制御部６０とは給電リッツ線５５を介して接続されている。
【００２８】
以下の構成の制御部６０は、誘導電力を総合的に制御できるように構成されている。
前記電源ユニット６３は、ＡＣコード６２を介して外部の電源６１に接続されており、供給された電力を整流して以下の他の回路に供給するようになっている。
【００２９】
前記高周波発生器６４は、給電リッツ線５５を介して誘導コイル５１に接続されており、例えば、１０ｋＨｚ〜１００ｋＨｚ程度の高周波の電流を発生して誘導コイル５１に供給するようになっている。
【００３０】
また、高周波発生器としては、例えば、ＩＰＭ（インテリジェント・パワー・モジュール）のコンピュターを用いて制御し、所定の周波数のパルス幅を制御した電流もしくは、電圧を発生させる装置等が用いられる。
【００３１】
前記加熱時間設定器６５は、１回の加熱操作に要する誘導コイルへの通電時間を設定するものであり、給電リッツ線５５を介して操作スイッチ６９から通電操作の信号を受けてから設定された通電時間だけ高周波発生器６４に制御信号を出力するようになっている。
【００３２】
前記保温時間設定器６６は、加熱操作より低い電力を誘導コイルへ出力する通電時間を設定するものであり、給電リッツ線５５を介して操作スイッチ６９から通電操作の信号を受けてから設定された通電時間だけ高周波発生器６４に制御信号を出力するようになっている。
【００３３】
また、ボリューム６７は、パルス幅を制御するもの、カウンター６８は、通電回数を数えるものである。
【００３４】
上記から、前記高周波発生器６４は、これらの制御信号を受けている間、すなわち設定された通電時間だけ誘導コイル５１に電流を供給する。
【００３５】
また、前記操作スイッチ６９は、制御部６０に設けられており、操作者が作動開始の操作を入力できるようになっており、加熱時間設定器６５おいての通電時間の設定や、保温時間設定器６６においての通電時間の設定等を任意に調整できるようになっている。
【００３６】
例えば、図６に示すように、操作スイッチ６９は、加熱運転釦６５ｂと保温運転釦６６ｂと自動運転釦５７と加熱タイマ６５ａと保温タイマ６６ａと運転ＬＥＤ５８と加熱状態ＬＥＤ５９を具備している。
前記加熱運転釦６５ｂは、操作者が釦を押すことにより、加熱開始又は、加熱停止を実行できる。
前記保温運転釦６６ｂは、操作者が釦を押すことにより、低い加熱出力され保温状態の開始又は、保温停止を実行できる。
前記加熱タイマ６５ａと保温タイマ６６ａは、自動運転においての加熱時間と保温時間を設定するもので、タイマは２桁（単位は秒）となっている。
前記自動運転釦５７は、使用者が釦を押すことにより、前記加熱時間タイマと保温時間タイマに設定された時間で、自動運転の開示または停止を実行する。
例えば、加熱時間を１５秒、保温時間を３０秒と設定したときは、使用者が運自動運転スイッチを押すと、そこから１５秒間は加熱し、続いて自動的に前記加熱時の約４０％の電力で３０秒間保温し、保温が終了したら出力を停止する。
前記運転ＬＥＤ５８は、誘導加熱装置５０の電源が投入されていることを表示する。
前記加熱状態ＬＥＤ５９は、加熱状態を表示するもので、例えば、加熱運転と保温運転の表示区分を３色ＬＥＤで実施し、ＬＥＤが赤色のときは加熱中、ＬＥＤが黄色のときは保温中、ＬＥＤが緑色のときは設定された加熱時間または保温時間が終了したという表示を実行する。
【００３７】
以上の構成の誘導加熱装置５０の操作について説明する。
操作者は、誘導コイル５１を移動させて図３、図４に示すように誘導コイル５１をヘッド２に近接するように配置し、この状態で操作スイッチ６９にて、加熱開始を実行することによりヘッド２に対する誘導加熱を開始することになる。
そして、加熱時間設定器６５に設定された通電時間だけ誘導コイル５１に電流が供給され、その間に図示するようにコア５３を中心とした誘導コイル５１の周囲に交番する磁力線Ｍが発生する。
コア５３は、磁力線Ｍの空間分布を制御する磁路、すなわち内部に磁力線Ｍを収束して通過させる磁束路として機能し、コアの対向部５３ａの対向面からヘッド２に対して磁力線Ｍを直交して通過させるようになっている。
ヘッド２に交番磁力線Ｍが通過することで、ヘッド２を含むその周囲には電磁誘導効果により渦電流Ｉが生じることになる。この渦電流Ｉが流れることでジュール熱が発生し、それによりヘッドに対する誘導加熱が行われることになる。
【００３８】
従って、誘導コイル５１に高周波の電流を流すことにより、ヘッド２は、誘導コイル５１から生じる磁界に誘導され、ヘッド２に誘導電流が流れる。そして、前記誘導電流は、ヘッド２の接合部４ａを通ることによって、この接合部４ａは、短時間で昇温し、その熱がヘッドとシャフトとの間の接着剤を加熱し、この接着層を溶融し、両者の間の接着力を低下させる。
【００３９】
このように、ゴルフクラブの分解にあたり、誘導加熱によりヘッドを加熱してこのヘッドとシャフトに接触されている接着剤を溶融させ、それらの間の接着力を低下させることにより、資源再利用の観点からのヘッドとシャフトとの完全分離を容易に実現できる。
さらに、ヘッドの誘導加熱による発熱温度を所定温度に制御して、ヘッドを加熱するから、ヘッドおよびシャフトを再利用する際の用途拡大を図れるとともに、加熱からの発煙および悪臭の発生を極力押さえることができる。このようにして、ゴルフクラブを経済的、効率的かつ無公害で分解できるゴルフクラブ分解装置とすることができる。
【００４０】
また、図７に示すように、上記誘導コイル５１により加熱されるヘッド２の温度を検出する熱電対からの信号が温度制御部６０ａに入力されようにして、該温度制御部６０ａからの信号に基づいて制御部６０が制御されてヘッド２の加熱温度を調整し得るようにすることも可能である。
【００４１】
次に、上記のような構成とされた誘導加熱装置５０を用いた本実施例に係る分離装置についての説明をする。
【００４２】
分離装置は、誘導コイルにより加熱されたヘッドにより接着剤が溶融され、その接着力が低下したときに、分離手段の作用力によりヘッドとシャフトが互いに分離されることになって、確実にしかも速やかに分離することができる構成としている。
【００４３】
前記分離装置の具体例を図８〜図１７に基づいて説明する。
【００４４】
図８は、分離装置の具体例を示す説明図、図９は、図８のＡ−Ａ線断面、図１０は、図８及び図９に示す分解器に誘導コイルが配置された状態を示す説明図、図１１及び図１２は、誘導コイルがヘッドから離れるように移動できる構造を示す説明図、図１３は、分離装置の他の具体例を示す説明図、図１４は、図１３のＢ−Ｂ線断面、図１５は、図１３及び図１４に示す分解器に誘導コイルが配置された状態を示す説明図、図１６及び図１７は、駆動装置の他の例を示す説明図である。
なお、以下の各実施例において同様の構成部材については、同一の符号を付して説明する。
【００４５】
前記分離装置２０は、ゴルフクラブのシャフト３の一部を固定する機構と、ヘッドの接合部を支承させる押圧部材２３と該押圧部材２３を移動させ、ヘッドとシャフトを分離させる駆動装置２１を含む押圧機構を備えた構成とした。
【００４６】
前記シャフトを固定する機構は、図８及び図９に示すように、基台２６の一端に下側挟持部材３４が固設されており、該下側挟持部材３４の上面３４ｃには、シャフト挟持する溝３４ａが形成され、更に、下面にシャフトを挟持する溝３３ａが形成された上側挟持部材３３が蝶番３９を介して下側挟持部材３４に取付けられている。
そして、上側挟持部材３３には、ボルト挿通溝３８ａを下側挟持部材３４には、雌ネジ３８ｂが形成され、これらに固定用ボルト３８を螺着されることで、上側挟持部材３３が下側挟時部材３４へ押付けられるように作用し上下から挟まれてシャフト３が固定されている。なお、上下の挟持部材３３、３４の挟持すべき個所にはシャフトを傷つけないために弾性体３３ｂ、３４ｂが設けられている。
【００４７】
次に、押圧機構は、駆動装置２１として、該下側挟持部材３４の前方には、基台２６に形成された案内溝２４に案内されて前後方向に移動する押圧部材２３を設け、下側挟持部材３４には、分離用ボルト３６を螺装されると共にその先端を押圧部材２３に係合されている。そして、前記押圧部材２３に分離用ボルト３６を固定するとともに、この分離用ボルト３６の一端に取付けられたハンドル３７を一方向に回すこと、分離用ボルト３６に回転運動を与えて、該分離用ボルト３６の回転に伴って、押圧部材２３を分離用ボルトの軸線上を一方向に前進させ、この押圧部材２３がヘッド２とシャフト３を分離させる方向へ移動させるように構成した。
【００４８】
また、前記押圧部材２３は、上面に開口したシャフト嵌合溝２３ａが形成されており、該シャフト嵌合溝２３ａの溝幅は、シャフトの直径より大きく、ヘッドのホーゼル部４の端面直径よりも小さく設定されている。従って、前記押圧部材２３の移動により、該押圧部材２３の前面が、ヘッド２の接合部４ａの端面に係止して、ヘッド２をシャフト３から引き抜いて分離される。
【００４９】
なお、本実施例では、ホーゼル部４と押圧部材２３との間にシャフトを貫通させるシャフト嵌合溝が形成されたホーゼル当接部材２５が差し込まれており、前記押圧部材２３の移動により、ホーゼル当接部材２５も前進し、これにより、ホーゼル当接部材２５の前面が、ヘッド２における接合部４ａの端面に係止して、ヘッド２をシャフト３から引き抜いて分離される。
なお、この分離に際し、ヘッドの接合部を前記誘導加熱装置で加熱し、シャフトを接着保持している接着剤の接着力を低下させておく。
【００５０】
上記のように、図８及び図９に示す分離装置２０によれば、ヘッド２の接合部４ａが、上記誘導加熱装置により効果的に加熱されたことで、この加熱されたヘッド２の接合部４ａにより、ヘッドとシャフトに接触されている接着剤が溶融して、その接着力を低下させ、低下した状態で、接合部４ａの端部が、押圧部材２３により押圧されることになるので、ヘッド２とシャフト３が速やかに分離される。
【００５１】
なお、分離装置２０によりヘッドとシャフトを分離する工程は、実施例のように誘導加熱後でも良いが、接着剤が低下した状態であれば、加熱中に行うようにしても良い。
【００５２】
次に、一例として、図８及び図９に示す分解器２０に誘導コイル５１が配置された状態を図１０で説明する。
誘導コイル５１は、ヘッド２の接合部４ａの近傍に非接触で配置されるように構成され、該誘導コイル５１は、図８及び図１０に示すように、上記分離用ボルト３６の回転に伴って移動される押圧部材２３に取付けられている。従って、前記押圧部材２３の移動することで、誘導コイル５１も同時に移動させることとなる。
【００５３】
また、誘導コイル５１の上側には、冷却ファン４５が配置され、この冷却ファン４５は、誘導加熱後の誘導コイル５１の冷却を行う。
なお、符号４６は、冷却用フィンであり、誘導コイル５１の左右側に取付けられている。この冷却用フィン４６は、ヘッドを構成する金属材料より、熱伝導率が高い金属材料が用いることで、誘導加熱時の放熱を冷却用フィン４６が吸収することができる。
【００５４】
本実施例及び図面において、誘導コイル５１の上側には、冷却ファン４５が配置されているがこれに限定されず、この冷却ファンは、加熱後の誘導コイル４２の冷却を行うことができる位置に配設されていればよい。
【００５５】
また、ゴルフクラブは、予めゴルフクラブに設定されたバランス値に対して、設定値とするために、図示しない錘をシャフト先端部に挿入されている場合がある。
そこで、ヘッド２とシャフト３が分離された後、前記錘をシャフトから分離する場合、誘導コイル５１が、ヘッド２の接合部４ａの近傍に配置されていると、作業性が悪くなるため、前記誘導コイル５１をヘッド２の近傍から離れるように移動させる構造とすることもできる。
【００５６】
例えば、図１１に示すように、基台２６上に、支持台４７が固設されており、該支持台４７には、移動軸４８が挿入されている。該移動軸４８には誘導コイル５１が取付けられ、ゴルフクラブの垂直方向にスライド移動させる構造とすることもできる。
また、図１２に示すように、押圧部材２３には、回転軸４９が取付けられ、該回転軸４９を介して、誘導コイル５１が分解器２０の前方に倒れるように回転移動させる構造とすることもできる。
【００５７】
次に、他の実施例をして、図１３及び図１４に示す分離装置２０を説明する。
図１４は、図１３のＢ−Ｂ線断面である。
【００５８】
前記分離装置２０は、前記実施例同様にゴルフクラブのシャフトを固定させる機構と、駆動装置２１を含む押圧機構とで構成されおり、該駆動装置２１が、誘導加熱装置によって、ヘッドとシャフトに接触されている接着剤が溶融され、該接着剤の接着力が低下したとき、例えば、接着剤の接着力が低下した信号や接着力の低下を予知した信号、または、設定された加熱時間が終了した信号等により自動的に駆動して、シャフトとヘッドを分離される方向へ作用力を与える構造とすることで、誘導加熱装置と併用して分離装置２０によりヘッドとシャフトとの分離作業を自動化した。
【００５９】
シャフトを固定する機構は、図１４に示すように、基台２６上には、支柱３２が固設されており、該支柱３２の上部には、エアもしくは油圧により上下に駆動されるシャフト固定用シリンダ３１が取付けられている。
このシャフト固定用シリンダ３１のロッド３１ａの先端部３１ｂには、前記シャフト固定用シリンダ３１の伸縮に伴って移動する可動体３５が取付けられている。そして、該可動体３５には、上側挟持部材３３が取付けられ、該上側挟持部材３３とともにシャフトを挾持する下側挟時部材３４が基台に固設された構成を有し、シャフトは、上側挟持部材３３が下側挟時部材３４へ押付けるように作用し上下から挟まれて固定されている。
【００６０】
また、前記上下の挟時部材３３、３４の中央部には、シャフトを挟持する溝３３ａ、３４ａが前後方向に形成されている。なお、上下の挟持部材３３、３４の挟持すべき個所にはシャフトを傷つけないために弾性材料３３ｂ、３４ｂが設けられている。
【００６１】
次に、駆動装置２１は、図１３及び図１４に示すように、基台２６には、前記駆動装置２１の一例として、エアもしくは油圧により駆動される押圧シリンダ２２が固設され、該押圧シリンダ２２のロッド２２ａの先端部２２ｂに押圧部材２３が取付けられている。
また、前記押圧シリンダ２２は、ロッド２２ａがゴルフクラブの長手方向の前後に所定距離の伸縮ができる構造である。なお、基台２６には、押圧部材２３を前後方向に移動を案内するための案内溝２４が形成されている。
【００６２】
従って、誘導加熱に伴って、ヘッドとシャフトとが接触する接着剤が溶融され、接着剤の接着力の低下したときに、自動的に押圧シリンダ２２が駆動し、接合部４ａの端部が、押圧部材２３により押圧されて、シャフトからヘッドが速やかに分離されることになる。
【００６３】
また、図１３及び図１４に示す分離装置２０の駆動装置２１としては、加熱された接着剤の接着力が低下されたときに、自動的にシャフトとヘッドを分離される方向へ作用力を与えることができる構造であれば、これに限定されることはない。
例えば、図１６に示すように、駆動装置２１として、送りモータ２７を用いて、該送りモータ２７の駆動力により回転軸２８を回転させ、押圧部材２３が前進させる構成や、図１７に示す、駆動装置２１として、エア２７ａもしくは油圧を用いて、該エア２７ａもしくは油圧の駆動力により回転軸２８を回転させ、押圧部材２３が前進させる構成等が挙げられる。
【００６４】
上記のように、図１３及び図１４に示す分離装置２０によれば、誘導加熱装置より、ヘッド２の接合部４ａが、効果的に加熱され、この加熱されたヘッド２の接合部４ａにより、該接合部４ａのヘッドとシャフトに接触されている接着剤が溶融され、接合力を低下させる。この低下状態で、自動的に駆動装置２１が駆動し、接合部４ａの端部が、押圧部材２３により押圧されて、シャフトからヘッドが速やかに分離されることになる。
特に、誘導加熱装置と併用して分離装置２０によりヘッドとシャフトとの分離作業を自動化したので、分離作業の効率化を図ることができる。
【００６５】
次に、一例として図１３及び図１４に示す分離装置２０に誘導コイル５１が配置された状態を図１５で説明する。
図１５に示すように、誘導コイル５１は、ヘッド２の接合部４ａの近傍に非接触で配置されるように構成されており、該誘導コイル５１は、接合部４ａの近傍から離れる位置と、接合部４ａの近傍の位置に配置されるように移動させる構造としている。
そこで、基台２６上には、支柱４２が固設されており、該支柱４２には、エアにより駆動されるコイル移動シリンダ４３が取付けられている。
このコイル移動シリンダ４３のロッド４３ａの先端部４３ｂには、前記コイル移動シリンダ４３の伸縮に伴って移動する可動体４４が取付けられ、そして、該可動体４４に、誘導コイル５１が取付けられている。
【００６６】
そして、前記コイル移動シリンダ４３の伸縮に伴って、誘導コイル５１がゴルフクラブと垂直方向に移動させることができる。
前記誘導コイルが移動させる構成によって、自動運転時の効率的な分離作業が可能となり、また、上記実施例同様にヘッドとシャフトが分離された後、自動的に誘導コイル５１が移動することで、前記錘をシャフトから分離する場合の作業性が向上する。
【００６７】
また、誘導コイル５１の上側に冷却ファン４５が配置され、この冷却ファン４５は、加熱後の冷却を行う。
また、前記コイル移動シリンダ４３の伸縮に伴って、誘導コイル５１は、加熱時においては、ヘッド２の接合部４ａの近傍に配置される位置まで移動し、また、接着剤が溶融された信号を得た時は、冷却ファンの下側の位置まで移動し、加熱後の誘導コイルの冷却を併せて行ことができる。
【００６８】
また、符号４６は、冷却用フィンであり、誘導コイル５１の上下側に取付けられている。この冷却用フィン４６は、ヘッドを構成する金属材料より、熱伝導率が高い金属材料が用いることで、誘導加熱時の放熱を冷却用フィン４６が吸収することができる。
【００６９】
なお、誘導コイル５１の取付け構造は、図１５で示した実施例に限定されず、ヘッドの接合部の近傍の位置に配置されるように取付けられていればよく、例えば、上記押圧シリンダ２２により駆動される押圧部材２３に一体的に取付けるように構成し、押圧部材２３が移動すると同時に誘導コイル５１も移動させる構成としてよい。
【００７０】
また、上記実施例および図面で示した分離装置において、押圧部材２３がヘッド方向へ前進し、この押圧部材２３がヘッド２をシャフト３からはずれる方向に移動させ分離するように構成したが、シャフトとヘッドが分離する方向へ作用力を与えることができる構造であれば、これに限定されることはない。
【００７１】
なお、上記実施例で示した分離装置において、ホーゼル当接部材２５としては、透磁率が高いほど誘導加熱の効率を高くすることができるので、ヘッドを構成する材料よりも高い透磁率であることが好ましい。しかし本装置は、誘導コイルの電力供制御によりホーゼル当接部材に金属のような伝導体が存在すればよく、適正加熱が可能となっている。
【００７２】
次に、本発明のゴルフクラブ分解装置が、どのように作動するか説明する。
まず、図８に示した分離装置２０を用いた本発明のゴルフクラブ分解装置が、どのように作動するか説明する。
【００７３】
初期設定として、図６示す、操作スイッチ６９で誘導加熱を行う加熱時間と保温時間を入力設定する。
次で、ソケットを切断除去したゴルフクラブを、図８の点線で示すように載置する。
次で、固定用ボルト３８を螺着するようすることで、上側挟持部材３３が下側挟時部材３４へ押付けるように作用し上下から挟まれてシャフト３を挟持し固定する。
【００７４】
この状態から、操作スイッチ６９で自動運転釦５７を押し、誘導加熱を開始する。
そして、設定した誘導加熱時間と保温時間が終了し、加熱状態ＬＥＤ５９により、接着剤が溶融されたことを示す表示がされる。
該表示がされたら、速やかに、分離用ボルト３６の一端に取付けられたハンドル３７を回し、押圧部材２３を前進させる。
押圧部材２３を前進させることで、ホーゼル部４の端部が、押圧部材２３により押圧されることになるので、ヘッド２とシャフト３が速やかに分離される。
なお、作業終了後は、誘導コイルの冷却の、冷却ファンで冷却を行なってもよい。
【００７５】
次に、図１３に示した分離装置２０を用いた本発明のゴルフクラブ分解装置が、どのように作動するか説明する。
図１８は、図１３に示した分離装置２０を用いた本発明のゴルフクラブ分解装置の動作を説明するフローチャート図である。
【００７６】
初期状態では、予め、ゴルフクラブは、分離装置２０に載置した状態で、押圧シリンダ２２は、後退端、コイル移動シリンダ４３は後退端の位置あり、シャフト固定用シリンダ３１が下降し、シャフト３が固定されている状態である。
【００７７】
この状態から、まず、図６に示す、操作スイッチ６９で誘導加熱を行う加熱時間と保温時間を加熱タイマ６５ａと保温タイマ６６ａで入力設定する。
入力設定が完了したら、確認を行い、自動運転釦５７を押す。（Ｓ−１）。
そして、コイル移動シリンダ４３が前進駆動し、誘導コイル５１がヘッド側へ移動する。（Ｓ−２）。
移動後、誘導加熱を開始する。（Ｓ−３）。
設定した誘導加熱の加熱時間と保温時間が終了し、（Ｓ−４）接着剤が溶融された信号を出し、加熱状態ＬＥＤ５９により、接着剤が溶融されたことを示す表示がされる（Ｓ−５）。
前記溶融された信号を確認後、コイル移動シリンダ４３が後退駆動し、誘導コイル５１が冷却位置に移動する。（Ｓ−６）。
誘導コイル５１が冷却位置に移動後、押圧シリンダ２２が前進駆動し、押圧部材２３がヘッド２をシャフト３からはずれる方向へ移動し、作業が終了する。（Ｓ−７）。
また、押圧シリンダ２２が前進駆動の際に、押圧部材２３が前進しきれない時は、押圧シリンダが後退端の位置に戻り、Ｓ−１で再度調整を行う。
なお、作業終了後は、誘導コイルの冷却の為、冷却ファンで冷却を行なってもよい。
【図面の簡単な説明】
【００７８】
【図１】ゴルフクラブを示す説明図。
【図２】本発明のゴルフクラブ分解装置の概要を示す説明図。
【図３】誘導コイルとそれによりヘッドが誘導加熱されている状態の斜視図。
【図４】誘導コイルとそれによりヘッドが誘導加熱されている状態の斜視図。
【図５】誘導加熱装置の電気回路を示すブロック図。
【図６】誘導加熱装置の操作部の構成を示す要部平面図。
【図７】他の例の電気回路を示すブロック図。
【図８】分離装置の具体例を示す説明図。
【図９】図８のＡ−Ａ線断面。
【図１０】図８及び図９に示す分解器に誘導コイルが配置された状態を示す説明図。
【図１１】誘導コイルがヘッドの近傍から離れるように移動できる構造示す説明図。
【図１２】誘導コイルがヘッドの近傍から離れるように移動できる構造示す説明図。
【図１３】分離装置の他の具体例を示す説明図。
【図１４】図１３のＢ−Ｂ線断面。
【図１５】図１３及び図１４に示す分解器に誘導コイルが配置された状態を示す説明図。
【図１６】駆動装置の他の例を示す説明図。
【図１７】駆動装置の他の例を示す説明図。
【図１８】ゴルフクラブ分解装置の動作を説明するフローチャート図。
【図１９】従来例を示す説明図。
【図２０】従来例を示す説明図。
【符号の説明】
【００７９】
１    ゴルフクラブ
２    ヘッド
３    シャフト
４    ホーゼル部
４ａ    接合部
５    取付け穴
１０    ゴルフクラブ分解装置
２０    分離装置
２１    駆動装置
２２    押圧シリンダ
２２ａ    ロッド
２２ｂ    先端部
２３    押圧部材
２３ａ    シャフト嵌合溝
２４    案内溝
２５    ホーゼル当接部材
２６    基台
２７    送りモータ
２７ａ    エア
２８    回転軸
３１    シャフト固定用シリンダ
３１ａ    ロッド
３１ｂ    先端部
３２    支柱
３３    上側挟持部材
３３ａ    溝
３３ｂ    弾性体
３３ｃ    下面
３４    下側挟持部材
３４ａ    溝
３４ｂ    弾性体
３４ｃ    上面
３５    可動体
３６    分離用ボルト
３７    ハンドル
３８    固定用ボルト
３８ａ    ボルト挿通溝
３８ｂ    雌ネジ
３９    蝶番
４２    支柱
４３    コイル移動シリンダ
４３ａ    ロッド
４３ｂ    先端
４４    可動体
４５    冷却ファン
４６    冷却フィン
４７    支持台
４８    移動軸
４９    回転軸
５０    誘導加熱装置  
５１    誘導コイル
Ｍ    交番磁力線
５２    隙間
５３    コア
５４    コイル
５５    給電リッツ線
５６    ＡＣコード  
５７    自動運転釦
５８    運転ＬＥＤ
５９    加熱状態ＬＥＤ
６０    制御部  
６１    電源
６２    ＡＣコード
６３    電源ユニット
６４    高周波発生器
６５    加熱時間設定器
６５ａ    加熱時間タイマ
６５ｂ    加熱運転釦
６６    保温時間設定器
６６ａ    保温時間タイマ
６６ｂ    保温運転釦
６７    ボリューム
６８    カウンター
６９    操作スイッチ
７１    基台
７２    固定台座
７３    案内溝
７４    引抜き板
７５ａ    半円溝
７５ｂ    半円溝
７６    挟持板
７７    固定用ボルト
７８    シャフト嵌合溝
７９    引抜き用ボルト
８１    雄ネジ
８２    下側挟み着け体
８３    コイルバネ
８４    切欠
８５    上側挟み着け体
８６    ネジ
８７    支持部
８８    抜け戻り用防止部材
【図１】
2006102372.tif 000003
【図２】
2006102372.tif 000004
【図３】
2006102372.tif 000005
【図４】
2006102372.tif 000006
【図５】
2006102372.tif 000007
【図６】
2006102372.tif 000008
【図７】
2006102372.tif 000009
【図８】
2006102372.tif 000010
【図９】
2006102372.tif 000011
【図１０】
2006102372.tif 000012
【図１１】
2006102372.tif 000013
【図１２】
2006102372.tif 000014
【図１３】
2006102372.tif 000015
【図１４】
2006102372.tif 000016
【図１５】
2006102372.tif 000017
【図１６】
2006102372.tif 000018
【図１７】
2006102372.tif 000019
【図１８】
2006102372.tif 000020
【図１９】
2006102372.tif 000021
【図２０】
2006102372.tif 000022